(57)【要約】  情報閲覧装置（携帯情報端末１）は、操作部１８と、表示部１３と、操作部１８による特定の操作が検知されたことを契機に、表示部１３に表示された文書の任意の場所に配置された当該文書に関連する他の文書の位置情報を示す項目を抽出し、当該項目を表示部１３の所定の表示領域に一覧表示する制御部（回路基板３０）と、により構成され、文書閲覧時のユーザインタフェースを改良することにより使い勝手を良くし、操作性を向上することができる。
2008078693.tif 000002
【特許請求の範囲】
【請求項１】
操作部と、
表示部と、
前記操作部による特定の操作が検知されたことを契機に、前記表示部に表示された文書の任意の場所に配置された前記文書に関連する他の文書の位置情報を示す項目を抽出し、当該項目を前記表示部の所定の表示領域に一覧表示する制御部と、
を有する情報閲覧装置。
【請求項２】
前記制御部は、
前記一覧表示された項目のそれぞれに対応付けられた特定キーの押下を検出したときに前記項目に示される文書を選択する
請求項１に記載の情報閲覧装置。
【請求項３】
前記制御部は、
前記一覧表示された項目のそれぞれに対応付けられた特定キーの押下を検出したときに当該項目を消去し、前記選択された項目に示される文書を取得して表示する
請求項１に記載の情報閲覧装置。
【請求項４】
前記制御部は、
前記一覧表示された項目のそれぞれに対応付けられた特定キーの押下を検出したときに別の表示窓を表示し、当該表示窓に、前記選択された項目に示される文書を取得して表示する
請求項１に記載の情報閲覧装置。
【請求項５】
前記制御部は、
前記操作部に配列された複数のキーが所定の順序で押下されたことを検知して前記項目を一覧表示する
請求項１に記載の情報閲覧装置。
【請求項６】
前記制御部は、
前記操作部に配列された複数のキーが別の前記所定の順序と異なる順序で押下されたことを検知して前記項目の一覧表示を消去する
請求項５に記載の情報閲覧装置。
【請求項７】
前記制御部は、
前記操作部に実装されたセンサを介して得られる操作を検知して前記項目を一覧表示するか、もしくは当該一覧表示を消去する
請求項１に記載の情報閲覧装置。
【請求項８】
コンピュータネットワーク上に公開された文書を、少なくとも、操作部と、表示部と、制御部とから成る情報閲覧装置を用いて閲覧する情報閲覧方法であって、
前記操作部による特定の操作が検知されたことを契機に、前記表示部に表示された文書の任意の場所に配置された前記文書に関連する他の文書の位置情報を示す項目を抽出し、当該項目を前記表示部の所定の表示領域に一覧表示するステップと、
前記一覧表示された項目のそれぞれに対応付けられた前記操作部による特定キーの押下を検出したときに前記項目に示される文書を取得して前記表示部に表示するステップと、
を有する情報閲覧方法。
【請求項９】
コンピュータネットワーク上に公開された文書を閲覧する情報閲覧装置に用いられる情報閲覧プログラムであって、
ユーザによる操作部の操作に基づいて所望の文書を取得して該文書を表示部に表示する手順と、
前記操作部に対し特定の操作がユーザにより入力されたことを検知し、該検知を契機に、前記表示部に表示された文書の任意の場所に配置された前記文書に関連する他の文書の位置情報を示す項目を抽出し、当該抽出された項目を前記表示部の所定の表示領域に一覧表示する手順と、
前記一覧表示された項目のそれぞれに対応付けられた特定キーの押下を検出したときに前記項目に示される文書を取得して前記表示部に表示する手順と、
をコンピュータに実行させる情報閲覧プログラム。
【発明の詳細な説明】
【技術分野】
【０００１】
本発明は、コンピュータネットワーク上に公開された文書を閲覧する、特に、携帯情報端末に用いて好適な、情報閲覧装置および情報閲覧方法ならびに情報閲覧プログラムに関するものである。
【背景技術】
【０００２】
携帯電話機をはじめとする携帯情報端末の普及とともにその性能の向上は目覚しく、搭載する機能も豊富になった。最近では、専用サイトの他に、通常のＷｅｂ（Ｗｏｒｌｄ  Ｗｉｄｅ  Ｗｅｂ）サイトの閲覧も可能になった。比較的少ない表示容量しか持たない携帯情報端末でＷｅｂページを閲覧する場合は、従来、上下左右方向に移動させるカーソルキー操作による画面スクロールによって文書全体を閲覧していた。【０００３】
Ｗｅｂページは、文書内に埋め込まれた別の文書や画像等のオブジェクトの位置情報（ハイパーリンク）を用い、文書やオブジェクトを相互に参照することが可能である。このため、Ｗｅｂページ内の任意の箇所にハイパーリンクが埋め込まれている。したがって、Ｗｅｂページには文書全体に関連する情報を埋め込むことなく、様々な文書やオブジェクトを参照するための位置情報を埋め込むことで、様々な文書やオブジェクトを非常に効率よく管理し、あるいは参照できるようになる。【０００４】
ところで、特開２００３−２９８７１５号公報には、表示画面を有効利用しながら、例えば、機能設定メニューを簡単に呼び出して機能設定を円滑に、かつ、迅速に行うことのできる携帯情報端末の機能呼び出し方法が開示されている。【０００５】
この携帯情報端末によれば、制御部は、表示部に待受画面を表示させた状態で、表示画面の上縁部領域にはダイヤルロック／シークレットモード設定通知アイコン等を表示させ、下縁部領域にはバイブレータ設定通知アイコン等を表示させる。そして、ユーザがカーソルキーを操作して、例えばバイブレータ設定通知アイコンを選択して決定キーを押下すると、制御部は表示部にバイブレータ設定メニューを表示させる。ここで、ユーザがカーソルキーでオフを選択して決定キーを押下してはじめて設定内容が更新される。
【発明の開示】
【発明が解決しようとする課題】
【０００６】
上記したように従来、携帯情報端末でＷｅｂページを閲覧するためには、カーソルキーを操作してスクロールによる画面移動を伴い、カーソルキー操作によるハイパーリンクの選択操作も必要になる。ハイパーリンクが埋め込まれた位置によっては、スクロールして画面移動した後、戻ってハイパーリンクを選択操作することもあり、この場合、選択操作に手間を要し、使い勝手が悪かった。また上記した特許文献１に開示された技術によっても選択するメニューまではカーソルキーを操作して移動させる必要があり、上記したスクロールによる画面移動を伴うＷｅｂページの閲覧には不向きである。【０００７】
本発明は、Ｗｅｂページ等の文書閲覧時のユーザインタフェースを改良することにより使い勝手を良くし、操作性の向上をはかった情報閲覧装置および方法ならびにプログラムを提供することにある。
【課題を解決するための手段】
【０００８】
本発明の第１の観点に係る情報閲覧装置は、操作部と、表示部と、前記操作部による特定の操作が検知されたことを契機に、前記表示部に表示された文書の任意の場所に配置された前記文書に関連する他の文書の位置情報を示す項目を抽出し、当該項目を前記表示部の所定の表示領域に一覧表示する制御部と、を有する。【０００９】
また、本発明の情報閲覧装置において、前記制御部は、前記一覧表示された項目のそれぞれに対応付けられた特定キーの押下を検出したときに前記項目に示される文書を選択するように構成してもよい。【００１０】
また、本発明の情報閲覧装置において、前記制御部は、前記一覧表示された項目のそれぞれに対応付けられた特定キーの押下を検出したときに当該項目を消去し、前記選択された項目に示される文書を取得して表示するように構成してもよい。【００１１】
また、本発明の情報閲覧装置において、前記制御部は、前記一覧表示された項目のそれぞれに対応付けられた特定キーの押下を検出したときに別の表示窓を表示し、当該表示窓に、前記選択された項目に示される文書を取得して表示するように構成してもよい。【００１２】
また、本発明の情報閲覧装置において、前記制御部は、前記操作部に配列された複数のキーが所定の順序で押下されたことを検知して前記項目を一覧表示するように構成してもよい。【００１３】
また、本発明の情報閲覧装置において、前記制御部は、前記操作部に配列された複数のキーが別の前記所定の順序と異なる順序で押下されたことを検知して前記項目の一覧表示を消去するように構成してもよい。【００１４】
また、本発明の情報閲覧装置において、前記制御部は、前記操作部に実装されたセンサを介して得られる操作を検知して前記項目を一覧表示するか、もしくは当該一覧表示を消去するように構成してもよい。【００１５】
本発明の第２の観点に係る情報閲覧方法は、コンピュータネットワーク上に公開された文書を、少なくとも、操作部と、表示部と、制御部とから成る情報閲覧装置を用いて閲覧する情報閲覧方法であって、前記操作部による特定の操作が検知されたことを契機に、前記表示部に表示された文書の任意の場所に配置された前記文書に関連する他の文書の位置情報を示す項目を抽出し、当該項目を前記表示部の所定の表示領域に一覧表示するステップと、前記一覧表示された項目のそれぞれに対応付けられた前記操作部による特定キーの押下を検出したときに前記項目に示される文書を取得して前記表示部に表示するステップと、を有する。【００１６】
本発明の第３の観点に係るプログラムは、コンピュータネットワーク上に公開された文書を閲覧する情報閲覧装置に用いられるプログラムであって、ユーザによる操作部の操作に基づいて所望の文書を取得して該文書を表示部に表示する手順と、前記操作部に対し特定の操作がユーザにより入力されたことを検知し、該検知を契機に、前記表示部に表示された文書の任意の場所に配置された前記文書に関連する他の文書の位置情報を示す項目を抽出し、当該抽出された項目を前記表示部の所定の表示領域に一覧表示する手順と、前記一覧表示された項目のそれぞれに対応付けられた特定キーの押下を検出したときに前記項目に示される文書を取得して前記表示部に表示する手順と、をコンピュータに実行させるように構成したものである。
【発明の効果】
【００１７】
本発明によれば、Ｗｅｂページ等文書閲覧時のユーザインタフェースを改良することにより使い勝手を良くし、操作性の向上をはかることができる。
【図面の簡単な説明】
【００１８】
【図１】図１は、本発明の実施の形態に係る情報閲覧装置の外観を開状態で示す正面図である。
【図２】図２は、本発明の実施の形態に係る情報閲覧装置の外観を開状態で示す始点が片方寄りの斜視図である。
【図３】図３Ａおよび図３Ｂは、本発明の実施の形態に係る情報閲覧装置の外観を閉状態で示す正面図および閉状態で示す背面図である。
【図４】図４は、本発明の実施の形態に係る情報閲覧装置の信号処理系の構成の一例を示すブロック図である。
【図５】図５は、本発明の実施の形態に係る情報閲覧装置の動作を説明するために引用したフローチャートである。
【図６】図６Ａから図６Ｃは、本発明の実施の形態に係る情報閲覧装置の縦方向スクロール時における画面構成の一例を示す図である。
【図７】図７Ａから図７Ｃは、本発明の実施の形態に係る情報閲覧装置の横縦方向スクロール時における画面構成の一例を示す図である。
【図８】図８は、本発明の他の実施の形態に係る情報閲覧装置の動作を説明するために引用したフローチャートである。
【図９】図９は、本発明の実施の形態に係る情報閲覧装置の操作部に実装されたセンサの構成の一例を示す図である。
【図１０】図１０は、本発明の実施の形態に係る情報閲覧装置の操作部における操作の一例を示す図である。
【符号の説明】
【００１９】
１…携帯情報端末装置、２…受話筐体、３…送話筐体、１３…表示部、１８…操作部、３０…回路基板、３００…主制御部、３０１…記憶部、３０２…キー入力処理部、３０３…通信処理部、３０４…描画・表示処理部、３０５…音声処理部、７０１…テンキー上部静電パッド、７０３ａ…電極（ｘ軸検出用）、７０３ｂ…電極（ｙ軸検出用）、７０５…ダイヤルキー上部静電パッド（１キー分拡大）、７０７…寄生コンデンサ、７０８…連接部、７０９…キー（プッシュスイッチ）、７１１…位置検出処理部。
【発明を実施するための最良の形態】
【００２０】
図１は、本発明の実施の形態に係る情報閲覧装置の外観を開状態で示す正面図である。また、図２は、情報閲覧装置の外観を開状態で示す始点が片方寄りの斜視図である。更に、図３Ａは情報閲覧装置１の外観を閉状態で示す正面図であり、図３Ｂは情報閲覧装置の外観を閉状態で示す背面図である。ここでは、情報閲覧装置として、いずれも携帯情報端末装置１が例示されている。【００２１】
携帯情報端末装置１は、いわゆる折り畳み式の携帯電話機として構成されており、開状態と閉状態との間で互いに回動自在に連結された受話筐体２および送話筐体３とを備えている。受話筐体２および送話筐体３は、それぞれの端部が回動の中心となる連結部４により連結されることにより携帯情報端末装置１全体の筐体を形成する。【００２２】
受話筐体２および送話筐体３は、それぞれ概ね薄型直方体に形成されており、閉状態では互いに重ね合わされ、一方の筐体側から他方の筐体側を見たときに互いの輪郭が略一致するようになっている。【００２３】
受話筐体２は、閉状態で送話筐体３に対向する面側の正面側ケース６と、その背面側の背面側ケース７と、背面側ケース７の背面側に取り付けられるパネル８とを備えている。【００２４】
受話筐体２の閉状態で送話筐体３に対向する正面Ｓ１は正面側ケース６により構成され、その反対側の背面Ｓ２は背面側ケース７およびパネル８により構成されている。正面側ケース６、背面側ケース７およびパネル８は、例えば、非導電性の樹脂によりそれぞれ成形されている。【００２５】
受話筐体２の正面Ｓ１には、通話用のスピーカ（不図示）の放音孔１２が閉口している。受話筐体２には、正面Ｓ１に映像や文字を表示するメインディスプレイ（表示部）１３と、背面Ｓ２に映像や文字を表示するサブディスプレイ１４（図３Ａ）とが設けられている。すなわち閉状態にて隠れる位置にメインディスプレイ１３が、閉状態にしても隠れない位置にサブディスプレイ１４がそれぞれ設けられている。【００２６】
メインディスプレイ１３およびサブディスプレイ１４は、例えば、液晶（ＬＣＤ：Ｌｉｑｕｉｄ  Ｃｒｙｓｔａｌ  Ｄｉｓｐｌａｙ）表示装置や有機ＥＬ（Ｅｌｅｃｔｒｏｎｉｃ  Ｌｕｍｉｎｅｓｃｅｎｃｅ）などの表示デバイスにより構成されている。【００２７】
なお、パネル８は透光性を有しており、サブディスプレイ１４の保護カバーを兼ねている。さらに、パネル８の内側には背面Ｓ２側を撮影方向とするカメラ２０が配置されている。【００２８】
送話筐体３は、閉状態で受話筐体２に対向する面側の正面側ケース９と、その背面側の背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。正面側ケース９、背面側ケース１０および蓋体１１は、たとえば非導電性の樹脂によりそれぞれ成形されている。【００２９】
送話筐体３の正面Ｓ３には通話用のマイクロフォン（不図示）の集音孔１６が閉口し、背面Ｓ４側では報知用スピーカ（不図示）に放音孔１７が側方へ向けて閉口している。送話筐体３には、正面Ｓ３に露出する各種キーを含む操作部１８が設けられている。各種キーは、たとえばダイヤルキー１８ａ、カーソルキー１８ｂ、ファクションキー１８ｃ、決定キー１８ｄである。なお、操作部１８には、タッチセンサ（図９参照）が実装されていてもよい。【００３０】
また、送話筐体３には、背面Ｓ２側を撮影方向とするカメラ２０、背面Ｓ４側を送受信方向とする赤外線信用の赤外線通信部２１が設けられている。【００３１】
連結部４は、受話筐体２の端部に切り欠き部２７が、送話筐体３の端部に突出部２８が形成され、切り欠き部２７に突出部２８が嵌合されて互いに回動自在に軸支され、構成されている。【００３２】
切り欠き部２７および突出部２８は、例えば、回転軸方向（図１の紙面左右方向）の幅が受話筐体２および送話筐体３の幅の半分程度の大きさに形成され、受話筐体２および送話筐体３の幅方向の中央に形成されている。突出部２８は、送話筐体３の正面Ｓ３から、閉状態において受話筐体２と対向する方向へ、受話筐体２の厚みと同程度の高さで突出している。【００３３】
図４は、図１〜図３Ａ，３Ｂに示す本発明の実施の形態に係る情報閲覧装置の信号処理系の構成の一例を示すブロック図であり、送話筐体３に実装される回路基板３０の構成が示されている。【００３４】
回路基板３０は、操作部１８による特定の操作が検知されたことを契機に、表示部１３に表示された文書の任意の場所に配置された当該文書に関連する他の文書の位置情報を示す項目を抽出し、当該項目を表示部１３の所定の表示領域に一覧表示する制御部として動作し、主制御部３００と、記憶部３０１と、キー入力処理部３０２と、通信処理部３０３と、描画・表示処理部３０４と、音声処理部３０５とにより構成される。【００３５】
主制御部３００は、例えば、マイクロプロセッサを内蔵し、操作部１８に配列された複数のキーが、後述する所定の順序で押下されたことを検知したことを契機に、表示部１３に表示されたＷｅｂページ（以下、単に文書という）の任意の場所に配置された当該文書に関連する他の文書の位置情報を示すハイパーリンク（以下、単に項目という）を抽出し、当該項目を表示部１３の所定の表示領域に一覧表示する機能を持つ。詳細は後述する。【００３６】
記憶部３０１は、主制御部３００において処理に利用される各種のデータを記憶する。例えば、主制御部３００が内蔵するマイクロプロセッサが読み出し実行するプログラム、通信相手の電話番号や電子メールアドレス等の個人情報を管理するアドレス帳、着信音やアラーム音を再生するための音声ファイル、テキスト、画像、音声から成る文書、各種設定データ、プログラムの処理過程で利用される一時的なデータなどを保持する。【００３７】
キー入力処理部３０２は、操作部１８に配置された各種キーからその入力情報を取得し、主制御部３００へ引き渡す。なお、配置される各種キーの中には側面や背面に配されるサイドキー、あるいは操作部１８に実装されるタッチセンサも含まれる。なお操作部１８については詳細に後述する。【００３８】
主制御部３００は、キー入力処理部３０２を介し、一覧表示された項目のそれぞれに対応付けられた特定キーの押下を検出したときに当該項目を消去し、選択された項目に示される文書を取得して表示するか、あるいは、キー入力処理部３０２を介し、一覧表示された項目のそれぞれに対応付けられた特定キーの押下を検出したときに別の表示窓（ウインドウ）を表示し、当該表示窓に、選択された項目に示される文書を取得して表示する。【００３９】
通信処理部３０３は高周波回路を含み、電波を用いた無線通信を行うために、マイク４２を介して入力され、後述する音声処理部３０５で処理された音声データで高周波信号を変調し、増幅して送受信アンテナ３５を介して送信する。通信処理部３０３はまた、送受信アンテナ３５を介して受信した高周波信号を復調して音声処理部３０５経由で受話筐体２のスピーカ５０に出力する。ここでは、更に、インターネット等、コンピュータネットワーク上に公開された文書を通信により取得して主制御部３００へ引き渡す。【００４０】
描画・表示処理部３０４は、主制御部３００により生成される表示情報を記憶部３０１の表示領域に描画し、当該表示領域に描画された表示情報を表示部１３の表示タイミングに同期して読み出して表示部１３へ出力し、所望の表示を行う。なお、表示情報の中には、通信処理部３０３を介して取得した文書、および主制御部３００により編集される項目情報一覧も含まれる。【００４１】
音声処理部３０５は、スピーカ５０から出力される音声信号やマイクロフォン４２において入力される音声信号の処理を行う。【００４２】
すなわち、音声処理部３０５は、マイクロフォン４２から入力される音声を増幅し、アナログ／デジタル変換を行い、更に符号化等の信号処理を施し、デジタルの音声データに変換して主制御部３００に出力する。【００４３】
また、音声処理部３０５は、主制御部３００から供給される音声データに復号化、デジタル／アナログ変換、増幅等の信号処理を施し、アナログの音声信号に変換してスピーカ５０に出力する。【００４４】
図５は、本発明の実施の形態に係る情報閲覧装置の動作を説明するために引用したフローチャートである。【００４５】
以下、図５に示すフローチャートを参照しながら本発明の実施の形態に係る情報閲覧装置の動作について詳細に説明する。【００４６】
まず、ユーザが、操作部１８により携帯情報端末装置１をインターネット等に接続するための操作を実行し、このとき、通信処理部３０３は、通信により取得した所望の文書（Ｗｅｂページ）を主制御部３００に引き渡す。【００４７】
このとき、主制御部３００は、キー入力処理部３０２を介して操作部１８による所定のキー操作Ａの有無を検知したとする（Ｓ１０１“Ｙｅｓ”）。ここで、所定のキー操作Ａとは、例えば、“０”“８”“５”等、操作部１８の下から上方向をなぞる所定の順序にしたがう複数キーの入力をいう。ここで、上記の連続したキー入力を伴わない通常のキー入力であった場合（Ｓ１０１“Ｎｏ”）、主制御部３００は通常動作を行う（Ｓ１０２）。なお、キー操作に限らず、操作部１８にタッチセンサが実装されていた場合は、所定の方向になぞる操作で代替してもよい。【００４８】
ここで、キー入力処理部３０２で所定のキー操作Ａが検出された場合（Ｓ１０１“Ｙｅｓ”）、主制御部３００は、変数ｋに割り当てキー数の上限値Ｋをセットし（Ｓ１０３）、描画・表示処理部３０４により、表示部１３の所定の表示領域にキー数上限値ｋに相当する個数から成る項目情報表示領域（キー割り当てマス）を割当てて表示する（Ｓ１０４）。【００４９】
すなわち、主制御部３００は、通信処理部３０３により取得される文書から当該文書に関連する他の文書の位置情報を示す項目を抽出し、当該項目を編集することにより、表示部１３の所定の表示領域に一覧表示するための領域（項目一覧表示領域）割り当てを行う。【００５０】
具体的に、主制御部３００は、リンク先を示す項目の有無を判定し（Ｓ１０５）、リンク先があって（Ｓ１０５“Ｙｅｓ”）、変数ｋが“０”でない場合（Ｓ１０６“Ｎｏ”）、変数ｋを−１更新し（Ｓ１０７）、（Ｋ−ｋ）番目の数字キーに当該リンク先が示された項目を割り付ける（Ｓ１０８）。以上の動作を、変数ｋが０になるまで繰り返す。以上のように、項目一覧表示領域に表示される各項目に各数字キーを割り当て、項目の選択動作を行なわせる環境を整える（Ｓ１０９）。【００５１】
上記のように、描画・表示処理部３０４により編集された項目情報一覧が表示部１３に表示された後、ユーザが、操作部１８を操作することにより数字キーによる項目の選択操作が行なわれたとする。【００５２】
すなわち、キー入力処理部３０２で数字キーの押下が検出されると（Ｓ１１０“Ｙｅｓ”）、主制御部３００は、描画・表示処理部３０４によりその数字キーに相当する項目一覧表示領域の項目を消去する（Ｓ１１１）。そして、主制御部３００は、通信処理部３０３によりその項目に示されるリンク先の文書を通信により取得して描画・表示処理部３０４を介して表示部１３へ転送する（Ｓ１１２）。【００５３】
なお、数字キーではなく（Ｓ１１０“Ｎｏ”）、項目一覧表示を行うための所定のキー操作Ａとは異なる所定のキー操作Ｂ、ここでは、“５”“８”“０”等、操作部１８に配置された数字キーを上から下方向へなぞる操作がキー入力処理部３０２で検知された場合（Ｓ１１３“Ｙｅｓ”）、主制御部３００は、描画・表示制御部３０４により項目一覧表示領域の各項目の内容を消去する（Ｓ１１４）。【００５４】
キー入力処理部３０２で再度項目一覧表示を行うための所定のキー操作Ａが検知された場合（Ｓ１１５“Ｙｅｓ”）、主制御部３００は、文書の末尾以外の場合（Ｓ１１６“Ｎｏ”）、変数ｋに割り当てキー数上限値を設定してＳ１０５の処理に戻る。また、主制御部３００は、所定のキー操作Ａが行われた場合（Ｓ１１５“Ｎｏ”）、あるいは文書の末尾であった場合は（Ｓ１１６“Ｙｅｓ”）、Ｓ１１０以降の処理を繰り返し実行する。【００５５】
上記した本発明の実施の形態にかかわる情報閲覧装置によれば、例えば、図６Ａから図６Ｃの縦方向スクロール時における画面構成例に示されるように、Ｗｅｂページをブラウジングして縦方向スクロールによって出現する項目について上から順に数字キーを割当てることで、数字キーに対応した項目一覧表示に切り替え表示することができ、このとき、ユーザは、番号キー“１”を押下することにより、項目Ａで示されるリンク先を選択してその内容を表示することができる。したがって、カーソルキーはスクロール操作にのみ使用し、項目選択にカーソルキーによる操作を要しないため使い勝手が良くなり操作性が向上する。【００５６】
また、図７Ａから図７Ｃの横方向スクロール時における画面構成例に示されるように、Ｗｅｂページをブラウジングして横方向スクロールによって出現する項目について左側から順に数字キーを割当て、編集（並べ替え）により数字キーに対応した項目一覧表示に切り替え表示することができ、このとき、ユーザは、番号キー“１”を押下することにより、項目Ａで示されるリンク先を選択し内容を表示することができる。したがって、カーソルキーはスクロール操作にのみ使用し、項目選択にカーソルキーによる操作を要しないため使い勝手が良くなり操作性が向上する。【００５７】
なお、図６Ａから図６Ｃ並びに図７Ａから図７Ｃにおいて、ともに図６Ａ，図７Ａは記憶部３０１に割当てられる表示情報領域を、図６Ｂ，図７Ｂは表示領域を移動してスクロール表示される領域を、図６Ｃ，図７Ｃは、項目一覧表示領域およびその表示画面を示す。また、図６Ａ，図６Ｂ、図７Ａ，図７Ｂの、白抜きして示してある箇所は、表示部１３の物理画面表示領域を、白抜きして示してある箇所を含むハッチングが付された部分はスクロール操作により物理画面に表示可能な論理画面表示領域を示す。【００５８】
また、項目一覧表示領域に表示される各項目にはタイトルが付されるが、割当てられる表示領域の容量によっては全のタイトルが表示されないことがある。この場合、タイトルが同じ項目が表示されることがある。この場合ユーザは判別が不可能になるため、主制御部３００は、編集の際に色分け等により違いを明示しておく必要がある。【００５９】
図８は、本発明の他の実施の形態に係る情報閲覧装置の動作を説明するために引用したフローチャートである。【００６０】
以下、図８に示すフローチャートを参照しながら本発明の他の実施の形態に係る情報閲覧装置の動作について詳細に説明する。【００６１】
図８のフローチャートにおいて、キー入力処理部３０２が所定キー操作Ａを検知し、主制御部３００が項目を抽出して並べ替え（編集）を行い、描画・表示制御部３０４が表示部１３の一覧項目表示領域に表示する処理（Ｓ１０１〜Ｓ１１０、Ｓ１１３、Ｓ１１５〜Ｓ１１７）は、図５に示す実施の形態のＳ１０１〜Ｓ１１０、Ｓ１１３、Ｓ１１５〜Ｓ１１７のそれぞれと同じであるため、重複を回避する意味でここでの説明は省略し、違いのみを抽出して説明する。【００６２】
ステップＳ１１０の処理において、いずれかの数字キーが押下されると、主制御部３００は、割り付けられた項目により指定されるリンク先の文書を、通信処理部３０３を介して取得し、新たに生成されるウインドウに表示するように描画・表示制御部３０４に指示する。描画・表示制御部３０４は、記憶部３０１の表示情報領域に当該ウインドウの文書を描画するとともに、表示部１３の表示タイミングに同期して当該ウインドウの文書と、先に描画された項目一覧情報とを読み出し、表示部１３にマルチウインドウ表示を行う（Ｓ１１８）。【００６３】
上記した本発明の他の実施の形態に係る情報閲覧装置によれば、先に説明した実施の形態と同様、カーソルキーはスクロール操作にのみ使用し、項目選択にカーソルキーによる操作を要しないため、使い勝手が良くなり操作性が向上する他に、マルチウインドウ表示により他の文書、あるいは項目一覧表示が区別して表示されるため、表示内容が整理されて見映えがよくなり、かつ、閲覧の履歴がわかるといった効果も得られる。【００６４】
なお、図５、図８に示すフローチャートは、本発明の実施の形態に係る情報閲覧装置の動作のみならず、本発明の情報閲覧方法における各ステップおよび本発明の情報閲覧プログラムにおける処理内容（手順）も合わせて説明している。【００６５】
すなわち、本発明の情報閲覧方法は、コンピュータネットワーク上に公開された文書を、少なくとも、操作部１８と、表示部１３と、制御部（回路基板３０）とから成る情報閲覧装置（携帯情報端末１）を用いて閲覧する情報閲覧方法であって、例えば、図５に示すフローチャートによれば、前記操作部１８による特定の操作が検知されたことを契機に、前記表示部１３に表示された文書の任意の場所に配置された前記文書に関連する他の文書の位置情報を示す項目を抽出し、当該項目を前記表示部１３の所定の表示領域に一覧表示するステップ（Ｓ１０１〜Ｓ１０８）と、前記一覧表示された項目のそれぞれに対応付けられた前記操作部１８による特定キー押下を検出したときに前記項目に示される文書を取得して前記表示部１３に表示するステップ（Ｓ１０９〜Ｓ１１７）と、を有するものである。【００６６】
本発明の情報閲覧方法によれば、文書閲覧時のユーザインタフェースを改良することにより使い勝手を良くし、操作性の向上をはかることができる。【００６７】
また、本発明の情報閲覧プログラムは、コンピュータネットワーク上に公開された文書を閲覧する情報閲覧装置（携帯情報端末１）に用いられるプログラムであって、例えば、図５に示すフローチャートによれば、操作部１８による特定の操作が検知されたことを契機に、表示部１３に表示される文書の任意の場所に配置された前記文書に関連する他の文書の位置情報を示す項目を抽出し、当該抽出された項目を前記表示部１３の所定の表示領域に一覧表示する手順（Ｓ１０１〜Ｓ１０８）と、前記一覧表示された項目のそれぞれに対応付けられた特定キーの押下を検出したときに前記項目に示される文書を取得して前記表示部１３に表示する手順（Ｓ１０９〜Ｓ１１７）と、をコンピュータ（主制御部３００を構成するマイクロプロセッサ）に実行させるものである。【００６８】
本発明の情報閲覧プログラムによれば、文書閲覧時のユーザインタフェースを改良することにより使い勝手を良くし、操作性の向上をはかることができる。【００６９】
図９は本発明の実施の形態に係る情報閲覧装置の操作部に実装されたセンサの構成の一例を示す図である。【００７０】
操作部１８は、指などの接触を感知するタッチセンサを、押圧により動作するダイヤルキー上に配置することにより、タッチセンサとしてもキーとしても動作するように構成されている。テンキー上部静電パッド７０１の構造例を、ダイヤルキー上部静電パッド（１キー分拡大）７０５により説明する。電極（ｘ軸検出用）７０３ａおよび電極（ｙ軸検出用）７０３ｂによりはさまれたダイヤルキー上部静電パッド（１キー分拡大）７０５の内部には、寄生コンデンサ７０７が発生する。この寄生コンデンサ７０７の静電容量は指などが触れることにより変化する。この容量変化は電極７０３を通じて位置検出処理部７１１が検出することが出来る。位置検出処理部７１１はこの容量変化が複数ある電極（ｘ軸検出用）７０３ａのうちの何れかと複数ある電極（ｙ軸検出用）７０３ｂのうちの何れかとの間で起きたかを検出することにより、指などが触れている位置を検出することが出来る。また、ダイヤルキー上部静電パッド７０５の下部にあるキー（プッシュスイッチ）７０９が、連接部７０８によりダイヤルキー上部静電パッド７０５と機械的に結合されることにより、ダイヤルキー上部静電パッド７０５上から加えられる圧力により、キー（プッシュスイッチ）７０９を押下することも可能である。【００７１】
図１０はタッチセンサを備えたダイヤルキー（１２個の番号キーである操作部１８）上での操作例を示している。ダイヤルキー上で例えば、“＊”“８”“６”と右斜め上方向（操作１ａ）或いは“＃”“８”“４”と左斜め上方向へなぞる（操作１ｂ）と、キー割り当てマスが表示されるように関連付けられる。逆に“６”“８”“＊”と左斜め下方向へなぞる（操作２ａ）或いは“４”“８”“＃”と右斜め下方向へなぞる（操作２ｂ）と、キー割り当てマスが消去されるように関連付けられる。また、“０”“８”“５”と上方向、“５”“８”“０”と下方向へなぞることで縦スクロールと区別した動作も関連付けることも出来る。【００７２】
本発明の情報閲覧装置が持つ各構成ブロックの機能は、全てをソフトウェアによって実現しても、あるいはその少なくとも一部をハードウェアで実現してもよい。例えば、制御部３００における処理や、通信処理部３０２、描画・表示処理部３０３、音声処理部３０４におけるデータ処理は、１または複数のプログラムによりコンピュータ上で実現してもよく、また、その少なくとも一部をハードウェアで実現してもよい。
【産業上の利用可能性】
【００７３】
本発明の実施の形態によれば、情報閲覧装置として携帯電話機等の携帯情報端末１を例示したが、携帯電話機に限らず、ＰＤＡ（Ｐｅｒｓｏｎａｌ  Ｄｉｇｉｔａｌ  Ａｓｓｉｓｔａｎｔｓ）、やゲーム機等にも同様に適用が可能である。
【図１】
2008078693.tif 000003
【図２】
2008078693.tif 000004
【図３】
2008078693.tif 000005
【図４】
2008078693.tif 000006
【図５】
2008078693.tif 000007
【図６】
2008078693.tif 000008
【図７】
2008078693.tif 000009
【図８】
2008078693.tif 000010
【図９】
2008078693.tif 000011
【図１０】
2008078693.tif 000012
【国際調査報告】
2008078693.tif 000013
2008078693.tif 000014
2008078693.tif 000015
2008078693.tif 000016